(57)【要約】【課題】電線ドラムに巻かれた電線を簡単な操作で繰り出すことを可能にするとともに持ち運びが容易なドラム電線繰り出し器を提供すること。【解決手段】電線ドラム１００の軸穴１００Ａに挿入するロットハンマー２と、これに装着する回転用支点部材３とを備え、ロットハンマー２の膨大部２Ｂを回転用支点部材３の凹部３３に嵌合することにより、回転用支点部材３をロットハンマー２に装着し、シャフト部２Ａを操作することにより、電線ドラム１００の姿勢を電線繰り出しが可能な状態にできる。このように、電線ドラム１００は回転用支点部材３のみで支えられて回転可能となるため、電線ドラム１００から電線１０４を繰り出すことが可能となる。【選択図】図５
2013052934.tif 000002
【特許請求の範囲】
【請求項１】
電線ドラムの軸穴に挿入されるシャフトと、前記シャフトの一端部に装着され、前記軸穴の径寸法よりも大きな径寸法を有し、前記電線ドラムを載せた状態で当該電線ドラムを回転可能にする回転用支点部材と、を備えることを特徴とするドラム電線繰り出し器。
【請求項２】
前記回転用支点部材は、前記シャフトの前記一端部を収納する凹部が形成されていることを特徴とする請求項１に記載のドラム電線繰り出し器。
【請求項３】
前記シャフトの前記一端部には雄ねじが形成され、前記凹部には前記雄ねじが螺合する雌ねじが形成されていることを特徴とする請求項１または請求項２に記載のドラム電線繰り出し器。
【請求項４】
前記シャフトの前記一端部には、該シャフトの延在方向と直交する方向に突出する突部が形成され、
前記凹部は、前記シャフトの延在方向に沿って前記突部を挿入する挿入部と、前記挿入部の内奥において該シャフトの軸回転方向へ延在して前記突部の移動を許容し該突部が前記凹部から抜けることを阻止する回転許容部と、を備えることを特徴とする請求項１または請求項２に記載のドラム電線繰り出し器。
【請求項５】
請求項１〜４のいずれか一つに記載のドラム電線繰り出し器を用いたドラム電線の繰り出し方法であって、
前記シャフトとして支線アンカの打ち込みに用いるロットハンマーを準備する工程と、
前記ロットハンマーを前記電線ドラムの前記軸穴に挿入する工程と、
その後、前記軸穴から突出する前記ロットハンマーの一端部に回転用支持部材を装着する工程と、
前記回転用支点部材を地面に当接させた状態で前記ロットハンマーを保持して、電線ドラムに巻かれた電線を繰り出す工程と、
を備えることを特徴とするドラム電線の繰り出し方法。
【発明の詳細な説明】
【技術分野】
【０００１】
本発明は、電線ドラムに巻かれた電線を簡単な操作で繰り出すことを可能にするドラム電線繰り出し器およびドラム電線の繰り出し方法に関する。
【背景技術】
【０００２】
ドラム電線繰り出し器としては、図１０に示すようなものが用いられている。このドラム電線繰り出し器は、電線ドラム１００の両側に配置される三角形状の一対のスタンド部１０１と、電線ドラム１００の軸穴１００Ａに挿通した状態でこれらスタンド部１０１に架設するシャフト１０２と、を備えている。また、このようなドラム電線繰り出し器の他に、電線ドラム１００を電動機で回転駆動させるドラム電線繰り出し装置が知られている（例えば、特許文献１参照）。
【先行技術文献】
【特許文献】
【０００３】
【特許文献１】特開平７−３１２１２５号公報
【発明の概要】
【発明が解決しようとする課題】
【０００４】
上記のドラム電線繰り出し器およびドラム電線繰り出し装置は、電線工場や電線を取り扱う訓練場などように電線ドラムを常設している場所であれば使い勝手が良いが、機器や装置が大掛かりで現場までの持ち運びに不便であった。また、上記のドラム電線繰り出し器およびドラム電線繰り出し装置は、平地でないと使用しにくいという問題点があった。さらに、上記のドラム電線繰り出し器およびドラム電線繰り出し装置は、使用できる電線ドラムの大きさや荷重が決まっているため、電線ドラムによっては用いることができない場合があった。このため、現場では、電線ドラムを一方の面側が下になるように配置し、電線ドラムの上に作業員を配して作業員によって電線を捌きながら、電線を繰り出すことが多々行われていた。
【０００５】
本発明は、上記の課題に鑑みてなされたものであって、平地でなくても電線ドラムに巻かれた電線を簡単な操作で繰り出すことを可能にするとともに持ち運びが容易なドラム電線繰り出し器、およびドラム電線の繰り出し方法を提供することを目的とする。
【課題を解決するための手段】
【０００６】
上述した課題を解決し、目的を達成するために、本発明に係るドラム電線繰り出し器の一態様は、電線ドラムの軸穴に挿入されるシャフトと、このシャフトの一端部に装着され、軸穴の径寸法よりも大きな径寸法を有し、電線ドラムを載せた状態でこの電線ドラムを回転可能にする回転用支点部材と、を備えることを特徴とする。
【０００７】
また、本発明に係るドラム電線繰り出し方法の一態様は、上記ドラム電線繰り出し器を用いたドラム電線の繰り出し方法であって、シャフトとして支線アンカの打ち込みに用いるロットハンマーを準備する工程と、このロットハンマーを電線ドラムの軸穴に挿入する工程と、その後、軸穴から突出するロットハンマーの一端部に回転用支持部材を装着する工程と、回転用支点部材を地面に当接させた状態でロットハンマーを保持して、電線ドラムに巻かれた電線を繰り出す工程と、を備えることを特徴とする。
【０００８】
このような本発明に係るドラム電線繰り出し器およびドラム電線の繰り出し方法の一態様では、支線アンカの打ち込みに用いるシャフトもしくはロットハンマーの一端部に回転用支持部材を装着するだけで、シャフトもしくはロットハンマーを手で持って電線ドラムを回転用支点部材の上に載せた状態で簡単に電線ドラムを回転させることが可能になる。このように、電線ドラムを回転用支点部材の上に載せた状態でシャフトもしくはロットハンマーを手で支持すればよいため、平地でなくともドラム電線の繰り出しを行うことを可能にする。
【発明の効果】
【０００９】
本発明によれば、平地でなくても電線ドラムに巻かれた電線を簡単な操作で繰り出すことを可能にするとともに持ち運びが容易な、ドラム電線繰り出し器およびドラム電線の繰り出し方法を実現することができる。また、本発明によれば、別途大掛かりな装置を用いることなく、電線設備業務で用いる多機能工作車に常備されているロットハンマーを用いることで、部品点数や重量を低減することができ、低コストでドラム電線の繰り出しを行うことが可能となる。
【図面の簡単な説明】
【００１０】
【図１】図１は、本発明の第１の実施の形態に係るドラム電線繰り出し器の分解斜視図である。
【図２】図２は、本発明の第１の実施の形態に係るドラム電線繰り出し器の操作工程を示す斜視図である。
【図３】図３は、本発明の第１の実施の形態に係るドラム電線繰り出し器の操作工程を示す斜視図である。
【図４】図４は、本発明の第１の実施の形態に係るドラム電線繰り出し器の操作工程を示す斜視図である。
【図５】図５は、本発明の第１の実施の形態に係るドラム電線繰り出し器を用いて電線ドラムを繰り出し可能とした状態を示す断面図である。
【図６】図６は、本発明の実施の形態に係るドラム電線繰り出し器の変形例１を示す分解斜視図である。
【図７】図７は、本発明の実施の形態に係るドラム電線繰り出し器の変形例１の要部断面図である。
【図８】図８は、本発明の実施の形態に係るドラム電線繰り出し器の変形例２の分解斜視図である。
【図９】図９は、本発明の実施の形態に係るドラム電線繰り出し器の変形例２の要部断面図である。
【図１０】図１０は、従来のドラム電線繰り出し器の斜視図である。
【発明を実施するための形態】
【００１１】
本発明の実施の形態の一態様としては、電線ドラムの軸穴に挿入されるシャフトと、シャフトの一端部に装着され、軸穴の径寸法よりも大きな径寸法を有し、電線ドラムを載せた状態でこの電線ドラムを回転可能にする回転用支点部材と、を備えることに加えて、次の構成を備えてもよい。
【００１２】
本発明の他の態様としては、上記の課題解決手段を基本構成とするのに加えて、回転用支点部材が、シャフトの一端部を収納する凹部が形成されている構成としてもよい。
【００１３】
本発明の他の態様としては、シャフトの一端部には雄ねじが形成され、上記凹部には雄ねじが螺合する雌ねじが形成されている構成としてもよい。
【００１４】
本発明の他の態様としては、シャフトの一端部に、シャフトの延在方向と直交する方向に突出する突部が形成され、凹部が、シャフトの延在方向に沿って突部を挿入する挿入部と、挿入部の内奥においてシャフトの軸回転方向へ延在して突部の移動を許容しこの突部が凹部から抜けることを阻止する回転許容部と、を備える構成としてもよい。
【００１５】
また、本発明の一態様としては、上記のドラム電線繰り出し器を用いたドラム電線の繰り出し方法であって、シャフトとして支線アンカの打ち込みに用いるロットハンマーを準備する工程と、ロットハンマーを電線ドラムの軸穴に挿入する工程と、その後、軸穴から突出するロットハンマーの一端部に回転用支持部材を装着する工程と、回転用支点部材を地面に当接させた状態でロットハンマーを保持して、電線ドラムに巻かれた電線を繰り出す工程と、を備える構成としてもよい。
【００１６】
以下に、本発明の各実施の形態に係るドラム電線の繰り出し器およびドラム電線の繰り出し方法の詳細を図面に基づいて説明する。
【００１７】
図１〜５は、本発明の実施の形態に係るドラム電線繰り出し器１について示している。図１に示すように、ドラム電線繰り出し器１は、シャフトとしてのロットハンマー２と、回転用支点部材３と、を備える。
【００１８】
ロットハンマー２としては、通常の電線設備業務で用いる多機能工作車に常備されているものを用いる。このロットハンマー２は、電柱の近傍において支線アンカを打ち込む際に、打ち付けるなどの用途に用いられる。
【００１９】
また、ロットハンマー２は、手で持って操作を行うためのシャフト部２Ａと、このシャフト部２Ａの一方の端部に設けられた円柱状の膨大部２Ｂと、からなる。本実施の形態おいて、ロットハンマー２におけるシャフト部２Ａおよび膨大部２Ｂは、図２に示す電線ドラム１００の軸穴１００Ａより径寸法が細く設定されている。
【００２０】
通常、電線ドラム１００は、両端部に円板状の鍔部１０３を有し、これら鍔部１０３同士の中心を、円筒状の巻き芯部１０５で連結した構造を有する（図５参照）。この巻き芯部１０５には、ドラム電線（電線）１０４が巻かれている。なお、軸穴１００Ａは、巻き芯部１０５を貫通する穴である。
【００２１】
本実施の形態では、回転用支点部材３は略半球形状に形成されている。この回転用支点部材３は、球面部３１と円形の平面部３２とを備える。回転用支点部材３の平面部３２の中央には、ロットハンマー２の膨大部２Ｂが嵌合可能な凹部３３が軸方向に穿孔されて形成されている。
【００２２】
本実施の形態において、回転用支点部材３の凹部３３は、ロットハンマー２の膨大部２Ｂよりもごく僅か径寸法が大きく設定され、膨大部２Ｂが凹部３３に嵌合したときに、膨大部２Ｂと凹部３３の面同士の摩擦により嵌合状態を保持する作用を有する。また、このような構造であるため、回転用支点部材３において凹部３３から膨大部２Ｂを抜き出す際も容易に取り外せるようになっている。
【００２３】
次に、図２〜５を用いて、ドラム電線（電線）１０４の繰り出し方法について説明する。先ず、図２に示すように、電線ドラム１００の一方の鍔部１０３の略全面が地面（図示省略する）に接する姿勢である場合に、ロットハンマー２を軸穴１００Ａに挿入する。なお、本実施の形態では、ロットハンマー２を膨大部２Ｂから軸穴１００Ａに挿入する例であるが、膨大部２Ｂを有しないシャフト部２Ａの他端部側から軸穴１００Ａに挿入してもよい。特に、膨大部２Ｂが軸穴１００Ａよりも径寸法が大きい場合は、シャフト部２Ａの他端部側から軸穴１００Ａに挿入する。
【００２４】
次に、図３に示すように、ロットハンマー２を軸穴１００Ａに挿入した状態で、作業者はロットハンマー２のシャフト部２Ａを手で持って、図４に示す状態となるように、両方の鍔部１０３で地面に立つように電線ドラム１００を起こした状態にする。
【００２５】
そして、図４に示すように、膨大部２Ｂを軸穴１００Ａから突出させた状態で、膨大部２Ｂに回転用支点部材３を装着する。なお、最初から電線ドラム１００が図４に示すような状態である場合は、この状態から作業を始めればよい。上述のように、本実施の形態では、膨大部２Ｂより僅かに凹部３３の径寸法を大きくした程度で、膨大部２Ａに凹部３３が嵌合した状態を保持させることができるため、回転用支点部材３が膨大部２Ｂから安易に外れてしまうことを防止できる。
【００２６】
次に、ロットハンマー２を操作して、回転用支点部材３が地面に着くように電線ドラム１００を倒す。図５は、回転用支点部材３を支点としてロットハンマー２を立てた状態を示す断面図である。このような状態でロットハンマー２のシャフト部２Ａを作業者が持っている場合は、電線ドラム１００を回転用支点部材３に載せた状態で、この回転用支点部材３を支点として回転させることが可能となる。したがって、作業者は電線１０４を手で捌く必要がなくなり、電線ドラム１００から容易に電線１０４を繰り出すことが可能となる。
【００２７】
上述のドラム電線繰り出し器１およびドラム電線の繰り出し方法によれば、回転用支点部材３上に電線ドラム１００を載せた状態を保持することができる。なお、ロットハンマー２は、電線ドラム１００の中心の軸穴１００Ａに嵌合しているため、ロットハンマー２を垂直な姿勢で保つことは電線ドラム１００のバランスを保ち易くしている。このため、この状態を保つために、作業者は大きな力を要しない。なお、作業者は、電線１０４を繰り出すときだけ、ロットハンマー２を垂直になるように操作すればよいため、作業者の負担を抑えることができる。
【００２８】
このように、本実施の形態に係るドラム電線繰り出し器１では、回転用支点部材３で支持できれば、地面が平坦な場所でなくても電線ドラム１００を回転させることができるという利点がある。
【００２９】
また、本実施の形態に係るドラム電線繰り出し器１では、現場作業を行う場合に用いる多機能工作車にロットハンマー２が常備されているため、回転用支点部材３を追加するだけでよく、従来のドラム電線繰り出し器やドラム電線繰り出し装置などに比べて、ドラム電線の繰り出し作業における部品点数や重量を低減できる。
【００３０】
（変形例１）
図６および図７は、本発明の実施の形態に係るドラム電線繰り出し器１の変形例１を示している。図６および図７に示すように、この変形例１に係るドラム電線繰り出し器１Ａは、上記実施の形態に係るドラム電線繰り出し器１におけるロットハンマー２の膨大部２Ｂの周面に雄ねじ部２Ｃを形成し、回転用支点部材３の凹部３３内にこの雄ねじ部２Ｃが螺合する雌ねじ部３３Ａが形成されている。この変形例１に係るドラム電線繰り出し器１Ａにおける他の構成は、上記実施の形態に係るドラム電線繰り出し器１と同様である。
【００３１】
この変形例１に係るドラム電線繰り出し器１Ａでは、ロットハンマー２の膨大部２Ｂに対して回転用支点部材３を螺合させることで、電線ドラム１００の支点となる回転用支点部材３を確実に保持することができる。また、この変形例１に係るドラム電線繰り出し器１Ａでは、ドラム電線繰り出し器１Ａを搬送する場合に、回転用支点部材３をロットハンマー２に組み付けた状態で搬送できるため、ドラム電線繰り出し器１Ａの管理が容易に行えるという利点がある。
【００３２】
（変形例２）
図８および図９は、本発明の実施の形態に係るドラム電線繰り出し器１の変形例２を示している。図８および図９に示すように、この変形例２に係るドラム電線繰り出し器１Ｂは、上記実施の形態に係るドラム電線繰り出し器１におけるロットハンマー２の膨大部２Ｂの側部に一対の突出部２Ｄを形成し、回転用支点部材３の凹部３３内に、この突出部２Ｄを軸方向に挿入可能な挿入部としての挿入溝３４と、挿入溝３４の内奥において突出部２Ｄの回転移動が可能な回転許容部としての回転溝３５とが形成されている。この変形例２に係るドラム電線繰り出し器１Ｂにおける他の構成は、上記実施の形態に係るドラム電線繰り出し器１と同様である。
【００３３】
ここで、突出部２Ｄは、ロットハンマー２の膨大部２Ｂの外周側面において互いに反対側となる位置に側方（ロットハンマー２の延在方向と直交する方向）へ向けて突設されている。この変形例２では、突出部２Ｄが膨大部２Ｂの長さ方向（軸方向）の中央に配置されている。
【００３４】
挿入溝３４は、円柱形状の凹部３３の互いに反対側に位置する内壁に、挿入方向（図８において太い矢印Ａで示す方向）に沿って形成されている。回転溝３５は、凹部３３の内奥部において挿入溝３４から挿入された突出部２Ｄを周方向へ回転可能にしている。したがって、突出部２Ｄが回転溝３５内を移動して挿入溝３４から離れた位置に至ると、膨大部２Ｂが回転用支点部材３から抜けることが阻止されるようになっている。
【００３５】
このように変形例２では、電線ドラム１００の軸穴１００Ａから突出する膨大部２Ｂの突出部２Ｄを、回転用支点部材３の挿入溝３４に入るように挿入した後、突出部２Ｄが回転溝３５内を移動するように回転用支点部材３を回動させることで、簡単に回転用支点部材３をロットハンマー２に装着する（係止する）ことができる。
【００３６】
なお、電線１０４を電線ドラム１００から繰り出す作業を行うときは、ロットハンマー２の膨大部２Ｂは回転用支点部材３の凹部３３内に配置されていればよく、突出部２Ｄが挿入溝３４内に配置されていてもよい。
【００３７】
この変形例２では、回転用支点部材３をロットハンマー２の膨大部２Ｂに対して迅速に着脱することができ、電線繰り出し作業を効率よく行うことができる。
【００３８】
（その他の実施の形態）
本発明の範囲は、図示され記載された例示的な実施形態に限定されるものではなく、本発明が目的とするものと均等な効果をもたらす全ての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画され得る。
【００３９】
例えば、上記実施の形態では、ロットハンマー２の膨大部２Ｂが円柱形状の場合で説明したが、他の形状の膨大部２Ｂを備えるロットハンマー２の場合は、回転用支点部材３の凹部３３の形状を上記他の形状に対応するように形成しておけばよい。
【００４０】
また、上記実施の形態では、ロットハンマー２の膨大部２Ｂに回転用支点部材３を装着する構成としたが、膨大部２Ｂと反対側のシャフト部２Ａの端部に回転用支点部材３を装着する構成としてもよい。
【００４１】
さらに、上記変形例１および変形例２では、回転用支点部材３と膨大部２Ｂとが螺合もしくは係合する構成としたが、回転用支点部材３側のみにロットハンマー２側が抜けないように保持する係止機構を備える構成としてもよい。
【００４２】
また、上記実施の形態および変形例１，２では、シャフトとしてロットハンマー２を用いたが、他の棒状の部材（ロッド、パイプなど）を用いても勿論よい。
【符号の説明】
【００４３】
１，１Ａ，１Ｂ  ドラム電線繰り出し器
２  ロットハンマー（シャフト）
２Ａ  シャフト部
２Ｂ  膨大部
３  回転用支点部材
３１  球面部
３２  平面部
３３  凹部
３４  挿入溝
３５  回転溝
１００  電線ドラム
１００Ａ  軸穴
１０４  電線
【図１】
2013052934.tif 000003
【図２】
2013052934.tif 000004
【図３】
2013052934.tif 000005
【図４】
2013052934.tif 000006
【図５】
2013052934.tif 000007
【図６】
2013052934.tif 000008
【図７】
2013052934.tif 000009
【図８】
2013052934.tif 000010
【図９】
2013052934.tif 000011
【図１０】
2013052934.tif 000012